(57)【要約】【課題】画像受付装置で注文した顧客が、プリント装置を扱うオペレータに画像情報の補正の要否を確実に指示できる画像処理システムを提供することを目的とする。【解決手段】画像受付装置はプリント装置にて施される画像情報の補正の要否を指示する補正要否指示部を備えると共に、その補正指示の情報をオーダ情報の一つとして画像情報と対応付けてハードディスクに保存して注文を完了し、プリント装置はその補正指示の情報を読み出すと、補正要否伝達部を通じてオペレータに伝達することで、顧客が確実に補正指示をオペレータに行える画像処理システムを構築した。【選択図】図６
2007206922.tif 000002
【特許請求の範囲】
【請求項１】
画像情報の処理を受付ける画像受付装置と、この画像受付装置で受付けた画像情報のプリント処理を行うプリント装置とを備えた画像処理システムであって、
前記画像受付装置において前記プリント装置にて施される画像情報の補正の要否を指示する補正要否指示部を備えると共に、前記プリント装置はその補正指示の情報をオペレータに伝達する補正要否伝達部を備える画像処理システム。
【請求項２】
前記画像受付装置において前記補正要否指示部は、画像情報ごとに補正の要否を指示可能とする請求項１に記載の画像処理システム。
【請求項３】
前記画像受付装置は、画像情報の補正部を備える請求項１又は２に記載の画像処理システム。
【請求項４】
前記プリント装置において前記補正要否伝達部は、補正指示を受付けた画像情報のみを操作可能とする請求項１〜３いずれかに記載の画像処理システム。
【請求項５】
前記プリント装置は処理対象の画像情報を表示する表示部を備え、前記補正要否伝達部は、補正指示を受付けた画像情報のみを前記表示部に表示する請求項４に記載の画像処理システム。
【発明の詳細な説明】
【技術分野】
【０００１】
本発明は画像情報の処理を受付ける画像受付装置と、この画像受付装置で受付けた画像情報のプリント処理を行うプリント装置とを備えた画像処理システムに関するものである。
【背景技術】
【０００２】
かかる画像処理システムは、プリントの注文を行う顧客自身による操作でプリントの注文処理を行う画像受付装置と、ＤＰ店舗等のオペレータによる操作でプリント出力処理を行うプリント装置とを備えている。具体的には、顧客が画像情報の記録されたメディアを画像受付装置の媒体ドライブに接続すると、画像受付装置は表示部にサムネイル画像を表示すると共に、タッチパネルなどの入力部を通じてプリント枚数等の注文に関する情報（オーダ情報）の入力を受付ける。そして、注文を終了したことを顧客がオペレータに伝達すると、オペレータの操作を受付けたプリント装置が、ＬＡＮケーブルを通じて受付けた画像情報とオーダ情報とを取得し、プリント処理を実行するようになっている。
【０００３】
このような画像処理システムにおいて画像受付装置は、近年急速に普及したデジタルカメラで撮影された画像情報を記録するメディアからの注文を対象としており、顧客自らがメディアからプリントしたい画像情報を選び出し、プリント枚数を決定することで注文を受付けるものである。このような画像受付装置では、例えば
【特許文献１】のように、作業の簡素化のために顧客はプリントサイズ、プリントの要否、プリント枚数だけを入力可能であって、色補正等の画像情報の補正は、補正知識に詳しいオペレータによってプリント装置で行われていた。
【０００４】
ところで近年、顧客側で補正具合を決定し、プリント作成したいという要望から、例えば
【特許文献２】のように、顧客が画像受付装置で画像情報の補正の具合を選択して注文を行い、プリント装置ではそのまま何の補正処理も加えず、その選択した画像情報に対応したプリントを作成する画像処理システムが提案されている。
【０００５】
【特許文献１】特開２００３-７８８６９
【特許文献２】特開２００５-３２６４７６
【発明の開示】
【発明が解決しようとする課題】
【０００６】
ここで、顧客には自らの意思で画像情報全ての補正具合を決定したいと考えるものもいれば、補正知識に詳しい店舗のオペレータに画像情報の補正を一任したいと考えるものもいる。しかしながら、
【特許文献１】の技術では、全ての画像情報をオペレータが補正し、又、
【特許文献２】の技術では、全ての画像情報を顧客自らが補正具合を決定するものため、いずれの画像処理システムを用いても顧客がオペレータに補正の要否を指示することも、オペレータが顧客の意図する補正の要否を判別することもできなかった。
【０００７】
より具体的には、オペレータに補正を一任したいのではなく補正を必要としないために補正機能を使用していない注文や、一回の注文で自ら補正したい画像情報と一任したい画像情報が混在しているために画像情報ごとに補正の指示を区別したい注文などには適切に対応できなかった。
【０００８】
本発明の目的は、画像受付装置で注文した顧客が、プリント装置を扱うオペレータに画像情報の補正の要否を確実に指示できる画像処理システムを提供する点にある。
【課題を解決するための手段】
【０００９】
上述の目的を達成するために請求項１の画像処理システムは、画像受付装置においてプリント装置にて施される画像情報の補正の要否を指示する補正要否指示部を備えると共に、前記プリント装置がその補正指示の情報をオペレータに伝達する補正要否伝達部を備えることを特徴とする。
【００１０】
上述の目的を達成するために請求項２の画像処理システムは、請求項１の構成に加えて、画像受付装置において補正要否指示部が、画像情報ごとに補正の要否を指示可能とすることを特徴とする。
【００１１】
上述の目的を達成するために請求項３の画像処理システムは、請求項１又は２の構成に加えて、画像受付装置が、画像情報の補正部を備えることを特徴とする。
【００１２】
上述の目的を達成するために請求項４の画像処理システムは、請求項１〜３いずれかの構成に加えて、プリント装置において前記補正要否伝達部が、補正指示を受付けた画像情報のみを操作可能とすることを特徴とする。
【００１３】
上述の目的を達成するために請求項５の画像処理システムは、請求項４の構成に加えて、プリント装置が処理対象の画像情報を表示する表示部を備え、補正要否伝達部が、補正指示を受付けた画像情報のみを前記表示部に表示することを特徴とする。
【００１４】
請求項１の構成を備えることにより、顧客は画像情報の注文に加えて補正の要否指示をオペレータに正確に伝達できる。従って、オペレータに補正を施してもらいたい顧客は画像受付装置の注文に加えてその意思を伝達できるし、逆に補正を施してもらいたくない顧客もその意思を伝達できる。又、オペレータはプリント装置で顧客の補正の要否指示を正確に判別できる。
【００１５】
請求項２の構成を備えることにより、顧客が自ら補正したい画像情報とオペレータに一任したい画像情報とが混在する注文を行う場合でも、それぞれ一つの画像情報ごとに区別して注文できる。又、オペレータはプリント装置で一つの画像情報ごとに顧客の補正の要否指示を正確に判別でき、適切な処理を施せる。
【００１６】
請求項３の構成を備えることにより、画像受付装置で補正具合を決定できる画像処理システムにおいても顧客はオペレータに補正の要否指示をできる。よって、顧客は自らの意思で補正具合を決定することも、オペレータに補正を一任することもできる。又、オペレータは補正が可能な画像受付装置からの注文であっても、顧客が意図する補正の要否を正確に判断できる。例えば、画像情報の全てが補正されていない注文であっても、画像情報ごとに補正の要否を判別できる。さらに、補正指示のない画像情報においても、顧客が決定した補正具合を表示しているので、オペレータはその補正具合を参照すれば、顧客の好みにあわせた処理を施せる。
【００１７】
請求項４の構成を備えることにより、顧客が補正を指示した画像情報のみを操作可能なプリント装置であるため、オペレータは補正を施すべきではない画像情報を誤って補正するという不手際が解消される。
【００１８】
請求項５の構成を備えることにより、顧客が補正を指示した画像情報のみを表示するプリント装置であるため、オペレータは補正指示のある画像情報にのみ注力できる上、プリント装置のシステム面ではデータ処理の時間が削減されるので、プリントに要する時間を短縮できる。
【発明の効果】
【００１９】
このように本発明の画像処理システムによれば、顧客は画像受付装置での注文時に補正の要否指示をオペレータに正確に伝達できるため、注文手段の選択肢が広くなると共に、オペレータはプリント装置で顧客の補正の要否指示を正確に判別できるようになった。
【発明を実施するための最良の形態】
【００２０】
以下、本発明の実施の形態を図面に基づいて説明する。図１〜図３に示すように、複数の画像受付装置Ｒと、銀塩式の印画紙１に画像情報のプリントを行うデジタル型のプリント装置Ｐと、これらの間で情報のアクセスを行う通信ネットワークＮとを備えた画像処理システムが構成されている。同図にはＤＰ店舗等に設置される画像処理システムを示しており、このシステムでは、画像情報を保存した様々なメディアＭからの画像情報のうちプリントを必要とするものを画像受付装置Ｒで受付けると共に、この受付時に発行される受付証ｒｅを顧客がオペレータに提示することにより、そのオペレータが受付証ｒｅにプリントされた情報に基づき、プリント装置Ｐからの操作で画像受付装置Ｒに保存された画像情報と、オーダ情報とを通信ネットワークＮを介して取込み、これらの情報に基づいて、プリント装置Ｐで印画紙１にプリントを行い、受付証ｒｅを提示した顧客に対して代金と引き換えに手渡す処理を可能にするものである。
【００２１】
以下にプリント装置Ｐを説明する。このプリント装置Ｐは、オペレート部Ｐｏと現像処理部Ｐｄとを一体化した装置本体と、この装置本体から分離した位置のスキャナユニットＰｓとを備えて成っている。装置本体のオペレート部Ｐｏの下部には、印画紙マガジン５からの印画紙１をプリントサイズに切断してデジタル型の露光ヘッド６に供給する露光系を内装し、この露光ヘッド６で露光された印画紙１の現像処理を行う現像処理槽７を現像処理部Ｐｄに内装し、この現像処理槽７で現像処理が行われた印画紙１は乾燥の後、現像処理部Ｐｄの上面の横送りコンベア８に送り出し、この横送りコンベア８からの印画紙１を仕分けコンベア９に送り出すよう処理形態が設定されている。前記露光ヘッド６は、印画紙１の搬送方向と直交する方向にレーザービームを送り出して走査を行う形式のものが使用されているが、この露光ヘッド６として蛍光ビーム方式、液晶シャッター方式、ＤＭＤ方式又はＦＯＣＲＴ等の使用が可能である。
【００２２】
オペレート部Ｐｏには、ＣＤ−ＲＯＭとＤＶＤからの情報の読出し、及び、ＣＤ−Ｒに対する情報の書き込みを行うコンボドライブ１０と、各種のメディアＭに対応した複数のマルチドライブ１１と、画像情報や各種情報の表示を行うディスプレイ１２と、キーボード１３とマウス１４とを備えている。そして、このオペレート部の下部にはマイクロプロセッサを有した制御部１５を備えている。この制御部１５は汎用コンピュータを用いて、各種のソフトウエアの作動を可能にするよう構成され、前記スキャナユニットＰｓでデジタル信号化された画像情報の補正や、必要な場合には画像情報のトリミングをオペレーティングシステム上で作動する画像処理ソフトで行い、この処理の結果を制御部１５の半導体メモリやハードディスクに保存し、印画紙１に対する画像情報の露光時に前記露光ヘッド６に転送するよう構成されている。
【００２３】
前記スキャナユニットＰｓは、底部にキャスタを備えた筐体１７の上面に対して、交換自在にフィルムキャリア１８を備えると共に、筐体内部に光学レンズやＣＣＤ等の光電変換素子を有した光電変換部（図示せず）を備え、又、筐体内部に備えた光源から光ファイバーを介して送られる光線をフィルムキャリア１８の上面側に導くアーム１９を備えて成っている。そして、写真フィルム２のスキャニングを行う場合には、ネガティブフィルム、あるいは、ポジティブフィルムをフィルムキャリア１８にセットし、この写真フィルム２を設定速度で移動させながらアーム１９の先端から下方に向けて照射する光線により、写真フィルム２の各コマの画像情報を光電変換部でデジタル信号化し、ケーブル２０を介して制御部１５に転送し得るよう構成されている。
【００２４】
以下に画像受付装置Ｒを説明する。図２〜４に示すように画像受付装置Ｒは、筐体２１の上面に対し表示面にタッチパネル２２を形成した液晶型のディスプレイ２３を備えると共に、筐体２１の前面には、メディアの具体例としての、スマートメディアＳＭ、コンパクトフラッシュ（登録商標）ＣＦ、メモリスティックＭＳ、メディアＭのアタッチメントとして機能するＰＣカード、ＣＤ−ＲＯＭ、ＭＯそれぞれに対応する媒体ドライブとしての複数のメディアドライブ２４を備え、筐体２１の上面でディスプレイ２３より前面側に受付証ｒｅを発行する熱転写式の受付証プリンタ２５を備え、筐体２１の内部に処理手段２６と、ハードディスク２７と、補正部２８と、ＬＡＮインタフェース２９とを内蔵して構成されている。補正部２８は画像情報を予め設定されたルールに基づいて補正を行うばかりでなく、画像情報をディスプレイ２３に表示した状態で顧客によるタッチパネル２２からの操作に従い、任意の補正を行えるよう機能するものである。
【００２５】
この画像処理システムの概要は図４のように示すことが可能である。つまり、画像受付装置ＲのＬＡＮインタフェース２９と、プリント装置Ｐの制御部１５に備えたＬＡＮインタフェースとはイーサーネット（登録商標）規格の通信ケーブル４１とハブ４２とを用いてＬＡＮ（Local Area Network）接続して、ＴＣＰ／ＩＰ形式のプロトコルで互いに情報のアクセスを行えるネットワークＮを構成してある。特に後述するように、この画像受付装置Ｒのハードディスク２７に保存される画像情報と、オーダ情報とが顧客を識別する情報を付して管理される。この構成からハードディスク２７を共有設定することによりプリント装置Ｐの制御部１５から、画像受付装置Ｒの情報を取出して容易にプリント処理を行えるものとなっている。
【００２６】
プリント装置の制御部１５にはＬＡＮインタフェースと情報のアクセスが可能な入出力インタフェースを備えると共に、この入出力インタフェースに対して前記ディスプレイ１２、ドライブ１０、１１（コンボドライブ１０、マルチドライブ１１）、印画紙搬送ユニット、スキャナユニットＰｓそれぞれが接続し、又、制御部１５には作業領域が形成されるＲＡＭ型の半導体メモリや、プログラムやパラメータが保存されるＲＯＭ型の半導体メモリの総称としてのメモリ３１を備えると共に、ハードウエア又はソフトウエア、あるいはハードウエアとソフトウエアとの組み合わせで成るディスプレイ制御部３２、ドライブ制御部３３、露光ヘッド制御部３４、搬送ユニット制御部３５、スキャナユニット制御部３６、補正部３７、補正要否指示情報認識部３８、及び情報の保存を行うハードディスク３９それぞれについてデータバスを介して互いの情報をアクセス自在に接続している。
【００２７】
前記ディスプレイ制御部３２は、ディスプレイ１２に対して画像情報を表示するために機能し、前記ドライブ制御ユニット３３はコンボドライブ１０、マルチドライブ１１それぞれに対する情報のアクセスを管理するよう機能し、露光ヘッド制御部３４は印画紙１にプリントすべき画像情報を露光ヘッド６に転送することにより該露光ヘッド６で印画紙１に対してプリントを行うよう機能するものであり、搬送ユニット制御部３５は印画紙マガジン５からの印画紙１をプリントサイズに切断して露光ヘッド６の露光位置に供給する制御と、この露光ヘッド６で露光された印画紙１を現像処理槽７に送る制御とを可能にするものであり、スキャナユニット制御部３６は、スキャナユニットＰｓの制御を行うと共に、取込まれた画像情報やデータ情報をメモリ３１やハードディスク３９に保存するよう機能する。そして、補正部３７はプリントを行うべき画像情報を、予め設定されたルールに基づいて補正を行うばかりでなく、プリントを行うべき画像情報をディスプレイ１２に表示した状態でキーボード１３やマウス１４からの操作で任意の補正を行えるよう機能するものである。さらに補正要否指示情報認識部３８は後述するように、画像受付装置Ｒから取り込まれた補正要否指示情報を判別するものである。
【００２８】
次に、画像受付装置Ｒによる受付処理の概要を説明する。この受付処理は顧客が画像受付装置Ｒのタッチパネル２２に指を接触させることで開始され、図５のフローチャートに示すように、メディアドライブ２４に対してメディアＭをセットすべきメッセージがディスプレイ２３に表示され、この表示に従ってメディアＭをセットすると、処理手段２６がメディアＭから複数の画像情報を読出し、それぞれの画像情報をハードディスク２７に対して一時的に保存する（＃１０１ステップ）。このように保存した画像情報のサムネイル画像をディスプレイ２３に表示してプリントサイズ、プリント枚数、色調補正・色濃度補正・コントラスト補正等の色補正量、補正要否の指示を含むオーダ情報の入力を許容する（＃１０２ステップ）。特に補正要否の指示は補正要否指示部を通じてオーダ情報の一つとして入力されるもので、具体的には後述する。この入力が終了すると、ハードディスク２７内の所定のディレクトリに後述するオーダフォルダを生成して画像情報とオーダ情報とを保存し（＃１０３、＃１０４ステップ）、メディアＭがメディアドライブ２４から取出されことを確認した後に受付証ｒｅを発行して受付処理を終了する（＃１０５、＃１０６ステップ）。
【００２９】
ディスプレイ２３に表示されるサムネイル画像は図６に示すように、任意の個数（今回の場合６個）の画像情報とそのオーダ情報とを対応付けた表示となる。それぞれの画像情報の下にプリントサイズ入力部（図示しない）、プリント枚数入力部５０、色補正入力部５１、補正要否指示入力部５２（補正要否指示部）が表示される。顧客は色補正入力部５１に補正量を入力することで任意の補正を行え、入力された情報を受付けた補正部２８がそれに対応する処理を画像情報に行いディスプレイに２３に表示する。又、補正要否指示入力部５２は「補正おまかせモード」と表示され、このチェック欄をマウスでクリックすることでチェックされ、オペレータに対象の画像情報の補正を一任する指示を与える。つまりチェックの有無が、補正要否指示情報を表し、他のオーダ情報と共にオーダフォルダに保存されることになる。図６では上段三つの画像情報がチェック無で顧客自ら補正を行ったもの、下段三つの画像情報がチェック有でオペレータに一任するものとなっている。尚、顧客が補正を一任する指示をした場合、色補正入力部５１は色補正を受付けない。
【００３０】
このように受付けられた情報は、ハードディスク２７における所定のディレクトリ上で図７に示すように、階層構造となっている。具体的には、「ｏｒｄｅｒ」のフォルダの下層に「ｏ００００００１」のフォルダ（オーダ番号１のフォルダ：前述したオーダフォルダ）を生成し、この下層に「ＩＭＡＧＥ」と、「ＭＩＳＣ」と、「ＭＥＤＩＡ」とのフォルダを生成し、「ＩＭＡＧＥ」フォルダの下層に対してａｕｔ＿０００１．ｊｐｇ、ａｕｔ＿０００２．ｊｐｇとなる連続する番号で識別可能な複数の画像ファイルを保存し、「ＭＩＳＣ」フォルダの下層に対してＡＵＴＰＲＩＮＴ．ＭＲＫとの名称でオーダ情報を記録したファイルを保存する。このファイルで成るオーダ情報は、顧客が選択したプリントサイズや、顧客が指定した画像情報を特定する情報や、その画像情報のプリント枚数と補正量と補正要否指示情報や、色補正機能の有無を含む画像受付装置Ｒの装置情報等を記載したものである。
【００３１】
次に、プリント処理の概要を説明する。このプリント処理では、前述のように発行された受付証ｒｅをプリント装置Ｐのオペレータが受取ると、図８に示すようにネットワークＮを介してプリント装置Ｐから画像受付装置Ｒのハードディスク２７にアクセスし、受付証ｒｅにプリントされたオーダ情報からフォルダを特定し（例えば、ｏ００００００１）、このフォルダの下層に保存されている情報の全てをプリント装置Ｐのハードディスク２７、あるいは、メモリ３１に保存する（＃２０１ステップ）。
【００３２】
次に、プリント処理を開始すると、ディスプレイ１２に画像情報と補正要否指示情報を含むオーダ情報をサムネイル画像として表示する（＃２０２ステップ）。ディスプレイ１２に表示されるサムネイル画像は図９に示すように、任意の個数の画像情報とそのオーダ情報が対応付けて表示される。尚、図９は前述図６の注文に対応した画像情報を示す。それぞれの画像情報の下にはプリントサイズ表示部（図示しない）、プリント枚数表示部６０、色補正入力・表示部６１が表示され、さらに図９下段のように画像受付装置Ｒで顧客が補正要否指示を行った画像情報については、補正要否指示情報認識部３８がその要否を判別し、補正要否指示表示部６２（補正要否伝達部）を通じてオペレータに伝達する。補正要否指示表示部６２は補正指示のあるものについては補正指示有と表示し、補正指示のないものは何も表示しない。そして、オペレータは補正指示のあるものに対しのみ、色補正入力・表示部６１から補正量の値を入力する（＃２０３ステップ）。
【００３３】
尚、補正指示のない画像情報（図９上段）に対しては色補正入力・表示部６１を表示しても、操作不可能とするのが好ましい。又、図１０上段のように色補正入力部６１を表示しない形態や、図１１のようにその画像情報及びオーダ情報全てを表示しない形態としてもよい。これらによれば、顧客が補正を要求していない画像情報をオペレータが即座に判別できる上、プリント装置のシステム面で表示に伴うデータ処理の時間が削減できるので、プリントに要する時間を短縮できるようになる。
【００３４】
以上によって、補正が完了すると、ＡＵＴＰＲＩＮＴ．ＭＲＫの情報に基づいて、選択したサイズの印画紙１に対して指定した画像情報が指定した枚数だけプリントする処理が自動的に行われるのである（＃２０４、＃２０５ステップ）。
【００３５】
このように本発明の画像処理システムは、顧客が画像受付装置Ｒにおいて画像情報を保存したメディアをメディアドライブ２４にセットしてディスプレイ２３に表示されるメッセージに従った操作を行うことでプリントのオーダが可能になるものであり、この受付時に発行される受付証ｒｅを顧客が店舗のオペレータに提示することにより、そのオペレータが受付証ｒｅにプリントされた情報に基づき、プリント装置Ｒからの操作で画像受付装置Ｒに保存されたオーダ情報と、画像情報とを通信ネットワークＮを介して取込み、これらの情報に基づいて、プリント装置Ｐでプリントを行えるので、即時にプリントを開始して受付証ｒｅを提示した顧客に手渡す処理を可能にするものである。
【００３６】
以上、本発明を実施するための最良の形態について説明したが、本発明は上述の形態に限られるものではなく、特許請求の範囲に記載した限りにおいて、様々な設計変更を行うことができる。例えば、補正要否指示部と補正要否伝達部の形態は本発明の形態にとらわれず、顧客及びオペレータが認識可能な手段であればいかなる形態であってもよい。
【００３７】
又、補正指示の情報は、顧客が画像受付装置Ｒにおいて顧客が手動で入力する構成になっているが、画像受付装置Ｒの補正機能の有無を補正指示の情報とみなしオーダ情報としてハードディスク２７に記憶し、プリント装置Ｐの補正要否指示情報認識部３８が前記補正機能の有無に関する情報を認識して、補正要否伝達部を通じてオペレータに伝達してもよい。
【００３８】
又、画像受付装置Ｒとプリント装置Ｐとが通信ネットワークＮで接続されている状態での処理形態を示したものであるが、本発明の画像受付装置Ｒはネットワークで接続されない状態でも使用可能である。つまり、前述と同様に受付処理を行い、このように受付けた画像情報と補正要否指示情報を含んだオーダ情報とＩＤ情報とを、メディアドライブ２４でＭＯ等の中間記憶媒体に保存し、この中間記憶媒体の情報をプリント装置Ｐのドライブ１１で読出し、オーダ情報に基づいて画像情報のプリントを行うことも可能である。
【００３９】
又、プリント装置Ｐは銀塩式の印画紙１に画像情報のプリントを行うデジタル型での処理形態を示したものであるが、本発明のプリント装置Ｐは銀塩式以外の記録紙を用いる形態でも使用可能である。例えば、インクジェット方式のプリント装置Ｐ等、画像情報を補正できる装置であれば適用が可能である。
【産業上の利用可能性】
【００４０】
本発明の画像処理システムによって顧客は画像情報の注文に加えて補正の要否指示をオペレータに正確に伝達でき、オペレータはプリント装置で顧客の補正の要否指示を正確に判別できるようになった。
【図面の簡単な説明】
【００４１】
【図１】本発明の実施形態に係わるデジタル画像処理システムの全体斜視図
【図２】本発明の実施形態に係わる画像受付装置の斜視図
【図３】本発明の実施形態に係わるデジタル画像処理システムの構成図
【図４】本発明の実施形態に係わるデジタル画像処理システムのフロック回路図
【図５】本発明の実施形態に係わる画像受付装置における処理を示すフローチャート
【図６】本発明の実施形態に係わる画像受付装置の受付画面を示す図
【図７】本発明の実施形態に係わる情報の保存構造を示す図
【図８】本発明の実施形態に係わるプリント装置における処理を示すフローチャート
【図９】本発明の実施形態に係わるプリント装置の受付画面を示す図
【図１０】本発明の異なる実施形態に係わるプリント装置の受付画面を示す図
【図１１】本発明の異なる実施形態に係わるプリント装置の受付画面を示す図
【符号の説明】
【００４２】
２８  補正部（画像受付装置側）
３８  補正要否指示情報認識部
５１  色補正入力部
５２  補正要否指示入力部（補正要否指示部）
６１  色補正入力・表示部
６２  補正要否指示表示部（補正要否伝達部）
Ｎ    通信手段
Ｐ    プリント装置
Ｒ    画像受付装置
【図１】
2007206922.tif 000003
【図２】
2007206922.tif 000004
【図３】
2007206922.tif 000005
【図４】
2007206922.tif 000006
【図５】
2007206922.tif 000007
【図６】
2007206922.tif 000008
【図７】
2007206922.tif 000009
【図８】
2007206922.tif 000010
【図９】
2007206922.tif 000011
【図１０】
2007206922.tif 000012
【図１１】
2007206922.tif 000013